(57)【要約】      （修正有）【課題】一枚の台紙からなる自立式紙製品を提供する。【解決手段】自立式紙製品の展開状態は、正面展示部１００と折り畳み部２００とを含む。その正面展示部は台紙の正面に位置されている。一枚の台紙上で本折り線Ｌｓ１、左縦折り線Ｌｗ１、Ｌｗ２、左横折り線Ｔｗ１、右縦折り線Ｌｅ１、Ｌｅ２及び右横折り線Ｔｅ１を形成し、複数の正面展示領域１０１、１０２及び折り畳み領域２０１〜２０４を仕切してから、各折り線に沿って折り畳んで各領域をさらに形成するようにした後、それらを組み立てることにより、少なくとも正面展示領域及び折り畳み部を含む自立式紙製品が形成される。本考案に係る自立式紙製品は、収納構造として従来技術の写真アルバムや、カレンダー、ブックスタンド、額縁、卓上カタログなどに取って代われるために用いられ、従来技術の多くの欠点が改善され、異なるニーズに応じて様々の用途を応用することができ、しかも大量に作製の場合の作製コストを低くすることができる。【選択図】図２
0003218478.tif 000002
【実用新案登録請求の範囲】
【請求項１】
台紙で構成された自立式紙製品であって、
その展開状態では、
前記台紙の正面に位置される、第１の正面展示領域〜第(Ｎ+１)の正面展示領域を順次に仕切するように、Ｘ軸方向に平行なＮ本の本折り線が設けられた正面展示部（Ｎは、１〜２５の範囲内にある自然数である。）と、
前記正面展示部の左側及び／又は右側に位置される、前記正面展示部の左側及び／又は右側から外へ延びて第１の折り畳み領域〜第Ｍの折り畳み領域を形成するように、前記正面展示部との間にＹ軸方向に平行なＡ本の左縦折り線及び／又は右縦折り線が設けられるとともに、各前記折り畳み領域の間に各前記本折り線から左右の両側に延びるＣ本の左横折り線及び／又はＤ本の右横折り線とがそれぞれ設けられた折り畳み部（Ａ、Ｂ、Ｃ、Ｄ、Ｍは、いずれも自然数であり、ＡとＢはそれぞれ１〜２６の範囲内にあり、ＣとＤはそれぞれ１〜２５の範囲内にあり、Ｍは１〜５２の範囲内にある。）と、を含み、
各前記左縦折り線の長さは、それぞれ、各前記右縦折り線の長さのいずれかと互いに等しいか又は等しくなく、
各前記左横折り線の長さは、それぞれ、各前記右横折り線の長さのいずれか互いに等しいか又は等しくなく、
前記第１の正面展示領域〜前記第(Ｎ+１)の正面展示領域は、第１の正面展示面積〜第(Ｎ+１)の正面展示面積をそれぞれ有するとする場合、各前記正面展示面積がそれぞれ互いに等しいか又は等しくなく、
前記第１の折り畳み領域〜前記第Ｍの折り畳み領域は、第１の折り畳み面積〜第Ｍの折り畳み面積をそれぞれ有するとする場合、各前記折り畳み面積がそれぞれ互いに等しいか又は等しくなく、各前記第１の折り畳み面積〜前記第Ｍの折り畳み面積がそれぞれ、前記第１の正面展示面積〜前記第(Ｎ+１)の正面展示面積より小さいことを特徴とする自立式紙製品。
【請求項２】
Ｎ=１、Ｍ=２の場合、前記折り畳み部は、前記第１の正面展示領域又は前記第２の正面展示領域のうちいずれかの一方から、１本の左縦折り線及び１本の左横折り線で囲まれて形成する第１の折り畳み領域が延在されているとともに、１本の右縦折り線及び１本の右横折り線で囲まれて形成する第２の折り畳み領域が延在されており、
前記左縦折り線の長さ、前記右縦折り線の長さは、それぞれ、隣接している正面展示領域の左側辺の長さ、右側辺の長さと等しいことを特徴とする請求項１記載の自立式紙製品。
【請求項３】
Ｎ=１、Ｍ=４の場合、前記折り畳み部は、前記第１の正面展示領域及び前記第２の正面展示領域から、２本の左縦折り線及び１本の左横折り線で形成される第１の折り畳み領域と第３の折り畳み領域が延在されているとともに、２本の右縦折り線及び１本の右横折り線で囲まれて形成する第２の折り畳み領域と第４の折り畳み領域が延在されており、
各前記左縦折り線の長さ、各前記右縦折り線の長さ、は、それぞれ、隣接している正面展示領域の左側辺の長さ、右側辺の長さと等しいことを特徴とする請求項１記載の自立式紙製品。
【請求項４】
Ｎ=２、Ｍ=２の場合、前記折り畳み部は、前記第１の正面展示領域、前記第２の正面展示領域又は前記第３の正面展示領域のうちいずれかの一方から、１本の左縦折り線及び１本の左横折り線で囲まれて形成する第１の折り畳み領域が延在されているとともに、１本の右縦折り線及び１本の右横折り線で囲まれて形成する第２の折り畳み領域が延在されており、
前記左縦折り線の長さ、前記右縦折り線の長さは、それぞれ、隣接している正面展示領域の左側辺の長さ、右側辺の長さと等しく、
前記第１の正面展示領域の上辺、又は前記第３の正面展示領域の下辺に結合部が延在されているとともに、前記結合部と前記第１の正面展示領域又は前記第３の正面展示領域との間に１本のサブ折り線が設けられており、前記サブ折り線の長さは、前記本折り線の長さと等しくか又はより以下であることを特徴とする請求項１記載の自立式紙製品。
【請求項５】
Ｎ=２、Ｍ=６の場合、前記折り畳み部は、前記第１の正面展示領域、前記第２の正面展示領域及び前記第３の正面展示領域の左側から、それぞれ３本の左縦折り線及び２本の左横折り線で囲まれて形成する第１の折り畳み領域、第３の折り畳み領域及び第５の折り畳み領域が延在されているとともに、前記第１の正面展示領域、前記第２の正面展示領域及び前記第３の正面展示領域の右側から、３本の右縦折り線及び２本の右横折り線で囲まれて形成する第２の折り畳み領域、第４の折り畳み領域及び第６の折り畳み領域が延在されており、
前記左縦折り線の長さ、前記右縦折り線の長さは、それぞれ、隣接している正面展示領域の左側辺の長さ、右側辺の長さと等しく、
前記第１の正面展示領域の上辺、又は前記第３の正面展示領域の下辺に結合部が延在されているとともに、前記結合部と前記第１の正面展示領域及び／又は前記第３の正面展示領域との間に１本のサブ折り線が設けられており、前記サブ折り線の長さは、前記本折り線の長さと等しいか又はより以下であることを特徴とする請求項１記載の自立式紙製品。
【請求項６】
Ｎ=５、Ｍ=２の場合、前記折り畳み部は、前記第１の正面展示領域〜前記第６の正面展示領域のうちいずれかの一方から、１本の左縦折り線及び１本の左横折り線で囲まれて形成する第１の折り畳み領域が延在されているとともに、１本の右縦折り線及び１本の右横折り線で囲まれて形成する第２の折り畳み領域が延在されており、
前記左縦折り線の長さ、前記右縦折り線の長さは、それぞれ、隣接している正面展示領域の左側辺の長さ、右側辺の長さと等しく、
前記第１の正面展示領域の上辺、又は前記第６の正面展示領域の下辺に結合部が延在されているとともに、前記結合部と前記第１の正面展示領域又は前記第６の正面展示領域との間に１本のサブ折り線が設けられており、前記サブ折り線の長さは、前記本折り線の長さと等しいか又はより以下であることを特徴とする請求項１記載の自立式紙製品。
【請求項７】
Ｎ=５、Ｍ=１２の場合、前記折り畳み部は、前記第１の正面展示領域〜前記第６の正面展示領域から、６本の左縦折り線及び５本の左横折り線で囲まれて形成する第１の折り畳み領域、第３の折り畳み領域、第５の折り畳み領域、第7の折り畳み領域、第９の折り畳み領域、及び第１１の折り畳み領域が延在されているとともに、６本の右縦折り線及び５本の右横折り線で第２の折り畳み領域、第４の折り畳み領域、第６の折り畳み領域、第８の折り畳み領域、第１０の折り畳み領域、及び第１２の折り畳み領域が延在されており、
前記左縦折り線の長さ、前記右縦折り線の長さは、それぞれ、隣接している正面展示領域の左側辺の長さ、右側辺の長さと等しく、
前記第１の正面展示領域の上辺、又は前記第６の正面展示領域の下辺に結合部が延在されるとともに、前記結合部と前記第１の正面展示領域又は前記第６の正面展示領域との間に１本のサブ折り線が設けられ、前記サブ折り線の長さは、前記本折り線の長さと等しいか又はより以下であることを特徴とする請求項１記載の自立式紙製品。
【請求項８】
請求項１〜７のいずれか一項に記載の展開状態の自立式紙製品から折り畳まれて形成された自立式紙製品であって、
Ｎ本の主折り線、Ａ本の左縦折り線、Ｃ本の左横折り線、Ｂ本の右縦折り線、及びＤ本の右横折り線に沿って折り畳むことで、(Ｎ+１)の正面展示領域、Ｍの折り畳み領域を形成するように組み立てられていることを特徴とする自立式紙製品。
ここで、Ａ、Ｂ、Ｃ、Ｄ、Ｎ及びＭは、いずれも自然数であり、ＡとＢはそれぞれ１〜２６の範囲内にあり、Ｃ、Ｄ及びＮはそれぞれ１〜２５の範囲内にあり、Ｍは１〜５２の範囲内にある。
【請求項９】
Ｎ=１の場合、前記正面展示部と前記折り畳み部の上辺及び下辺に複数の綴じ穴がそれぞれ対称的に開口され、これらの綴じ穴は、前記本折り線と平行に並んでいることを特徴とする請求項８記載の自立式紙製品。
【請求項１０】
Ｎ≧２の場合、前記自立式紙製品は、断面が(Ｎ+１)角形の柱状構造であり、更に、少なくとも(Ｎ+１)角形構造となる載置部材を含み、
前記自立式紙製品の第１の正面展示領域〜前記第(Ｎ+１)の正面展示領域においてこれらの本折り線に垂直な方向に、同一の平面に位置しかつ互いに接続されていない切断線を複数有し、前記(Ｎ+１)角形の載置部材が、これらの切断線を介して前記自立式紙製品の中空内部に嵌設され、前記載置部材は、物品を載置するために用いられることを特徴とする請求項８記載の自立式紙製品。
【考案の詳細な説明】
【技術分野】
【０００１】
本考案は、カードなどの収納に用いられる製品に関し、特に、写真や絵又はファイルなどを収容・展示することが可能な自立式紙製品に関する。
【背景技術】
【０００２】
従来の写真アルバムは、一定のサイズで透明可視の一冊とするポケットタイプ、フォリオタイプ、ラフタイプ等の型のフォトアルバムが挙げられる。アルバムを使用する際に、一般、写真を受け取って順次に透明なフォトポケットに入れることで、写真を収納及び整理することが達成できるが、そのアルバムから１枚の写真を取り出して単独で展示することはできない。従って、写真を単独で収納・展示する目的を実現するために、その他の装置や構造物を使用しなければならない。
【０００３】
また、従来の卓上カレンダーは、一般に、美しい風景の写真が組まれているものである。卓上カレンダーをテーブル上に置いて見たら、気分を晴々とさせるが、ある月が過ぎ去ると、当該の月を示すカレンダーページをめくり返すか、それとも、引き取るか、最後まで全体破棄されてしまうこともある。なお、ユーザが卓上カレンダーからお気に入りの写真を保存や展示しようとする場合、それを引き取っても保存や展示をすることも困難であって、とても惜しい。
【０００４】
上記の問題は、本考案者が従来技術の欠点について、長年にわたって継続的に上記問題を解決する考案に注目したり、検討や研究したり、改良したりすることで、従来技術に取って代わる本考案までに至った。
【考案の概要】
【０００５】
上記の問題を解決するため、本考案は、折り畳まれた組み立て状態にすることで、物品を入れて収納することができ、折り畳み式カードのような収納構造となる自立式紙製品構造を提供する。
【０００６】
言い換えれば、本考案は、自立式紙製品を掲示し、この自立式紙製品は台紙であって、その展開状態は、正面展示部と折り畳み部とを含む。前記台紙の正面に前記正面展示部が位置され、前記正面展示部に、第１の正面展示領域、第２の正面展示領域、…、及び第(Ｎ+１)の正面展示領域が順次に仕切られるように、X軸方向に平行なＮ本の本折り線が設けられている。ここで、Ｎは、１〜２５の範囲内にある自然数である。前記正面展示部の左側及び／又は右側に前記折り畳み部が位置され、前記正面展示部の左側及び／又は右側から外へ延びて第１の折り畳み領域、第２の折り畳み領域、…、及び第Ｍの折り畳み領域を形成するように、前記折り畳み部と前記正面展示部との間にＹ軸方向に平行なＡ本の左縦折り線及び／又はＢ本の右縦折り線が設けられるとともに、各前記折り畳み領域の間に各前記本折り線から左右の両側に延びるＣ本の左横折り線及びＤ本の右横折り線とがそれぞれ設けられている。ここで、Ａ、Ｂ、Ｃ、Ｄ、Ｍは、いずれも自然数で、ＡとＢはそれぞれ１〜２６の範囲内にあり、ＣとＤはそれぞれ１〜２５の範囲内にあり、Ｍは１〜５２の範囲内にある。
【０００７】
本考案の一実施例によれば、前記第１の正面展示領域、前記第２の正面展示領域、…、及び前記第(Ｎ+１)の正面展示領域は、第１の正面展示面積、第２の正面展示面積、…、及び第(Ｎ+１)の正面展示面積をそれぞれ有するとする場合、各前記正面展示面積はそれぞれ、互いに等しいか又は等しくない。
【０００８】
本考案の一実施例によれば、前記第１の折り畳み領域、前記第２の折り畳み領域、…、及び前記第Ｍの折り畳み領域は、第１の折り畳み面積、第２の折り畳み面積、…、及び第Ｍの折り畳み面積をそれぞれ有するとする場合、各前記折り畳み面積はそれぞれ、互いに等しいか又は等しくなく、各前記第１の折り畳み面積、前記第２の折り畳み面積、…、及び前記第Ｍの折り畳み面積は、それぞれ、前記第１の正面展示面積、前記第２の正面展示面積、…、及び前記第(Ｎ+１)の正面展示面積より小さい。
【０００９】
本考案の一実施例によれば、各前記左縦折り線及び右縦折り線の長さはそれぞれ、互いに等しいか又は等しくない。
【００１０】
本考案の一実施例によれば、Ｎ=１の場合、前記正面展示部と前記折り畳み部の上辺及び下辺に複数の綴じ穴がそれぞれ対称的に開口され、これらの綴じ穴は、前記本折り線と平行に並んでいる。
【００１１】
また、本考案の一実施例によれば、Ｎ≧２の場合、前記自立式紙製品は、断面が(Ｎ+１)角形の柱状構造であり、更に、少なくとも(Ｎ+１)角形構造となる載置部材を含み、前記自立式紙製品の第１の正面展示領域、…、及び前記第(Ｎ+１)の正面展示領域においてこれらの本折り線に垂直な方向に、同一の平面に位置しかつ互いに接続されていない切断線を複数有し、前記(Ｎ+１)角形の載置部材が、これらの切断線を介して前記自立式紙製品の中空内部に嵌設され、前記載置部材は、物品を載置するために用いられる。
【００１２】
前記自立式紙製品構造は、多くの利点及び用途を備えており、以下のように簡単に整理する。
（１）本考案に係る自立式紙製品構造は、写真アルバムとして使用できるだけでなく、お気に入りの写真や絵又はファイルなどを額縁に単独で入れて用いたい場合、この自立式紙製品構造を三角柱体の簡易な額縁に折り畳めば、平面又は卓上で別々に置くことができる。
（２）本考案に係る自立式紙製品構造は、卓上カレンダーとして使うこともでき、しかも使用した後にお気に入りのカレンダーのページがあれば、個別に取り出して収納することができる。
（３）本考案に係る自立式紙製品構造は、ブックスタンドとして書類ファイルを支えるために使うこともできる。
（４）本考案に係る自立式紙製品構造は、はがきとして使うことができ、その展示部は、写真や絵又はファイルなどを入れることができる以外、文字や絵を書くこともできる。
（５）本考案に係る自立式紙製品構造は、レストランのメニューとして使うことができ、その展示部は、料理の写真やファイルを入れることができるとともに、季料理又はお勧め料理に応じて写真を切り替えることができる。
【００１３】
以下、本明細書に付された各図面を参照しながら、本考案の目的及び効果、並びに本考案に掲示された自立式紙製品構造の構成要素、形状、構造などの特徴について詳細に説明する。
【図面の簡単な説明】
【００１４】
【図１】図１は、本考案に係る自立式紙製品の実施例１の展開状態を示す模式図である。
【図２】図２は、本考案に係る自立式紙製品の実施例２の展開状態を示す模式図である。
【図３Ａ】図３Ａは、本考案に係る自立式紙製品の実施例２の折り畳まれた組み立て状態を示す模式図である。
【図３Ｂ】図３Ｂは、本考案に係る自立式紙製品の実施例２の折り畳まれた組み立て状態を示す模式図である。
【図３Ｃ】図３Ｃは、本考案に係る自立式紙製品の実施例２の折り畳まれた組み立て状態を示す模式図である。
【図４】図４は、本考案に係る自立式紙製品の実施例３の展開状態を示す模式図である。
【図５】図５は、本考案に係る自立式紙製品の実施例３の折り畳まれた組み立て状態を示す模式図である。
【図６】図６は、本考案に係る自立式紙製品の実施例４の展開状態を示す模式図である。
【図７】図７は、本考案の実施例４の他の展開状態を示す模式図である。
【図８Ａ】図８Ａは、本考案の図８の組み立て状態を示す模式図である。
【図８Ｂ】図８Ｂは、本考案の図８の他の用途の折り畳まれた組み立て状態を示す模式図である。
【図９】図９は、本考案の実施例４のもう一つの展開状態を示す模式図である。
【図１０】図１０は、本考案の図９の折り畳まれた組み立て状態を示す模式図である。
【図１１】図１１は、本考案の実施例５の異なる展開状態を示す模式図である。
【図１２】図１２は、本考案の実施例５の異なる展開状態を示す模式図である。
【図１３】図１３は、本考案の実施例５の異なる展開状態を示す模式図である。
【図１４】図１４は、本考案の実施例５の異なる展開状態を示す模式図である。
【図１５】図１５は、本考案の図１４の折り畳まれた組み立て状態を示す模式図である。
【図１６】図１６は、本考案の実施例６の異なる展開状態を示す模式図である。
【図１７】図１７は、本考案の実施例６の異なる展開状態を示す模式図である。
【図１８】図１８は、本考案の実施例６の異なる展開状態を示す模式図である。
【図１９】図１９は、本考案の実施例６の異なる展開状態を示す模式図である。
【図２０】図２０は、本考案の実施例６の異なる展開状態を示す模式図である。
【図２１】図２１は、本考案の実施例６の異なる展開状態を示す模式図である。
【図２２Ａ】図２２Ａは、本考案の図２１の折り畳まれた組み立て状態を示す模式図である。
【図２２Ｂ】図２２Ｂは、本考案の図２１の他の用途の折り畳まれた組み立て状態を示す模式図である。
【図２３】図２３は、本考案に係る自立式紙製品の標準展開状態を示す模式図である。
【考案を実施するための形態】
【００１５】
以下に、本考案に係る自立式紙製品の構成及び技術内容について、様々な好適の実例を挙げ明細書に付された図面に合わせながら詳細に説明する。しかしながら、当然のことであるが、本考案は、挙げられたこれらの実施例や図面又は詳細内容に限定されるものではない。
【００１６】
なお、当該技術を熟知する当業者にとって、挙げられた実施例及び添付図面は、参考及び説明のためのみであり、本考案を限定するものではなく、これらの記載に基づいて実施しやすい補正又は変更した創作は、いずれも、本考案の精神と意図を逸脱しない範囲にあると捉え、もちろんこれらの創作も本考案の実用新案登録請求の範囲内に含まれていることは、容易に理解できるだろう。
【実施例１】
【００１７】
図１は、本考案に係る自立式紙製品の実施例１の展開状態を示す模式図である。図１を参照し、この実施例では、Ｎ=１、Ｍ=２である。この自立式紙製品は台紙であって、その展開状態は、正面展示部(１００)と、折り畳み部(２００)とを含む。正面展示部には、第１の正面展示領域(１０１)と第２の正面展示領域(１０２)とが１本の本折り線(Ｌｓ１)で仕切られている。第１の正面展示領域(１０１)から、１本の左縦折り線(Ｌｗ１)と１本の左横折り線(Ｔｗ１)で囲まれて形成する第１の折り畳み領域(２０１)が延在されているとともに、１本の右縦折り線(Ｌｅ１)と１本の右横折り線(Ｔｅ１)で囲まれて形成する第２の折り畳み領域(２０２)がそれぞれ延在されている。左縦折り線(Ｌｗ１) の長さ、右縦折り線(Ｌｅ１) の長さ、は、それぞれ、第１の正面展示領域(１０１)の左側辺の長さ、右側辺の長さと等しいであり、左横折り線(Ｔｗ１) の長さは、１本の右横折り線(Ｔｅ１)の長さとは、互いに等しくてもよく、等しくなくてもよい。
【００１８】
次に、本折り線(Ｌｓ１)、左縦折り線(Ｌｗ１)、左横折り線(Ｔｗ１)、各右縦折り線(Ｌｅ１)、及び右横折り線(Ｔｅ１)に沿って折り畳んで、第１の正面展示領域(１０１)と、第２の正面展示領域(１０２)と、第１の折り畳み領域(２０１)と、第２の折り畳み領域(２０２)とを形成するように組み立てると、自立可能な逆V字状の自立式紙製品を形成することができる。
【００１９】
本実施例では、第１の正面展示領域(１０１)は、第１の正面展示面積を有し、第２の正面展示領域(１０２)は、第２の正面展示面積を有する。また、第１の正面展示面積は、第２の正面展示面積と同じである。
【００２０】
また、本考案の技術的思想によれば、折り畳み部(２００)は、第１の正面展示領域(１０１)とつながっているが、これに限定されない。例えば、第１の折り畳み領域(２０１)及び第２の折り畳み領域(２０２)は、ともに、正面展示部(１００)の左側又は右側に位置してもよいか、第１の折り畳み領域(２０１)及び第２の折り畳み領域(２０２)が第２の正面展示領域(１０２)とつながってもよく、ユーザの要求に応じて設計すればよい。
【実施例２】
【００２１】
図２は、本考案に係る自立式紙製品の実施例２の展開状態を示す模式図である。図２を参照し、この実施例では、Ｎ=１、Ｍ=４である。この自立式紙製品は台紙であって、その展開状態は、正面展示部(１００)と、折り畳み部(２００)とを含む。実施例１と同様に、正面展示部には、第１の正面展示領域(１０１)と第２の正面展示領域(１０２)とが１本の本折り線(Ｌｓ１)で仕切られている。第１の正面展示領域(１０１)及び第２の正面展示領域(１０２)の左側から、２本の左縦折り線(Ｌｗ１、Ｌｗ２)と１本の左横折り線(Ｔｗ１)で囲まれて形成する第１の折り畳み領域(２０１)と第３の折り畳み領域(２０３)とが延在されているとともに、第１の正面展示領域(１０１)及び第２の正面展示領域(１０２)の右側から、２本の右縦折り線(Ｌｅ１、Ｌｅ２)と１本の右横折り線(Ｔｅ１)で囲まれて形成する第２の折り畳み領域(２０２)と第４の折り畳み領域(２０４)とが延在されている。各左縦折り線(Ｌｗ１、Ｌｗ２)の長さ、各右縦折り線(Ｌｅ１、Ｌｅ２)の長さは、それぞれ、隣接している正面展示領域の左側辺の長さ、右側辺の長さと等しいであり、左横折り線(Ｔｗ１)の長さは、１本の右横折り線(Ｔｅ１)の長さとは、互いに等しくてもよく、それとも、等しくなくてもよい。
【００２２】
次に、本折り線(Ｌｓ１)、各左縦折り線(Ｌｗ１、Ｌｗ２)、左横折り線(Ｔｗ１)、各右縦折り線(Ｌｅ１、Ｌｅ２)、及び右横折り線(Ｔｅ１)に沿って折り畳んで、それぞれ第１の正面展示領域(１０１)と、第２の正面展示領域(１０２)と、第１の折り畳み領域(２０１)、…、及び第４の折り畳み領域(２０４)とを形成するように組み立てると、自立可能な逆V字状の自立式紙製品を形成することができる。
【００２３】
また、図３Ａ〜図３Ｃを参照する。図３Ａ〜図３Ｃに示した自立式紙製品の実施例では、この自立式紙製品は、正面展示部(１００)と折り畳み部(２００)の上辺及び下辺に複数の綴じ穴(３００)がそれぞれ対称的に開口され、これらの綴じ穴(３００)は、前記本折り線(Ｌｓ１)と平行に並んでいる。写真(Ｐ)、絵又はファイルなどを折り畳み部内に嵌め込んだ後、これらの綴じ穴(３００)を介して、この自立式紙製品をルーズリーフバインダ(ＰＡ)に配置すれば、展示又は適切に保存する効果に達することができる。
【実施例３】
【００２４】
図４及び図５は、それぞれ、本考案に係る自立式紙製品の実施例３の展開状態及び組み立て状態を示す模式図である。図４及び図５を参照し、この実施例では、Ｎ=２、Ｍ=６である。この自立式紙製品は台紙であって、その展開状態は、正面展示部(１００)と、折り畳み部(２００)とを含む。正面展示部には、第１の正面展示領域(１０１)と第２の正面展示領域(１０２)と第３の正面展示領域(１０３)とが２本の本折り線(Ｌｓ１、Ｌｓ２)で仕切られている。第１の正面展示領域(１０１)、第２の正面展示領域(１０２)及び第３の正面展示領域(１０３)の左側から、３本の左縦折り線(Ｌｗ１、Ｌｗ２、Ｌｗ３)と２本の左横折り線(Ｔｗ１、Ｔｗ２)で囲まれて形成する第１の折り畳み領域(２０１)、第３の折り畳み領域(２０３)及び第５の折り畳み領域(２０５)が延在されているとともに、第１の正面展示領域(１０１)、第２の正面展示領域(１０２)及び第３の正面展示領域(１０３)の右側から、３本の右縦折り線(Ｌｅ１、Ｌｅ２、Ｌｅ３)及び２本の右横折り線(Ｔｅ１、Ｔｅ２)で囲まれて形成する、第２の折り畳み領域(２０２)、第４の折り畳み領域(２０４)及び第６の折り畳み領域(２０６)が延在されている。各左縦折り線(Ｌｗ１、Ｌｗ２、Ｌｗ３)の長さ、各右縦折り線(Ｌｅ１、Ｌｅ２、Ｌｅ３)の長さは、それぞれ、隣接している正面展示領域の左側辺の長さ、右側辺の長さと等しいであり、各左横折り線(Ｔｗ１、Ｔｗ２)は、それぞれ、各右横折り線(Ｔｅ１、Ｔｅ２)の長さとは互いに等しくてもよく、それとも、等しくなくてもよい。
【００２５】
次に、各本折り線(Ｌｓ１、Ｌｓ２)、各左縦折り線(Ｌｗ１、Ｌｗ２、Ｌｗ３)、左横折り線(Ｔｗ１、Ｔｗ２)、各右縦折り線(Ｌｅ１、Ｌｅ２、Ｌｅ３)、及び右横折り線(Ｔｅ１、Ｔｅ２)に沿って折り畳んで、それぞれ、第１の正面展示領域(１０１)と、第２の正面展示領域(１０２)と、第３の正面展示領域(１０３)と、第１の折り畳み領域(２０１)、…、及び第６の折り畳み領域(２０６)とを形成するように組み立てると、自立可能なコ字状の自立式紙製品を形成することができる。図５に示すように、自立式紙製品をカードXに設計するとともに、各正面展示領域(１０１、１０２、１０３)に模様を設計してもよいし、写真、絵又はファイルなどを各折り畳み領域(２０１、…、２０６)に嵌め込んでもよい。
【実施例４】
【００２６】
図６〜図１０は、それぞれ、本考案に係る自立式紙製品の実施例４の展開状態及び組み立て状態を示す模式図である。図６〜図１０を参照し、ここで、Ｎ=２、Ｍ=２、４又は６である。この自立式紙製品は台紙であって、その展開状態は、正面展示部(１００)と、折り畳み部(２００)とを含む。実施例３と同様に、正面展示部には、第１の正面展示領域(１０１)と第２の正面展示領域(１０２)と第３の正面展示領域(１０３)とが２本の本折り線(Ｌｓ１、Ｌｓ２)で仕切られている。なお、第１の正面展示面積、第２の正面展示面積及び第３の正面展示面積のうち少なくとも両方が同じである。
【００２７】
また、第３の正面展示領域(１０３)の下辺に結合部(１１０)が延在されているとともに、この結合部(１１０)と第３の正面展示領域(１０３)との間に１本のサブ折り線(Ｌ３)が設けられており、このサブ折り線の長さは、本折り線の長さと等しいか又はより以下である。折り畳み工程を行う時、結合部(１１０)と第１の正面展示領域(１０１)とを結合させることができ、例えば、この結合部(１１０)を第１の正面展示領域(１０１)の裏面に貼り付けてよい。
【００２８】
本考案の技術的思想によれば、第１の正面展示領域(１０１)の上辺と第３の正面展示領域(１０３)の下辺に係止部及び被係止部（図示せず）がそれぞれ設けられることにより、折り畳み工程を行う時、係止部と被係止部で台紙の両側を互い係止して結合することができる。
【００２９】
図６に示すように、Ｍ=２の場合、この第１の正面展示領域(１０１)の左側から、１本の左縦折り線(Ｌｗ１)及び１本の左横折り線(Ｔｗ１)で囲まれて形成する第１の折り畳み領域(２０１)が延在されているとともに、第１の正面展示領域(１０１)の右側から、１本の右縦折り線(Ｌｅ１)と１本の右横折り線(Ｔｅ１)で囲まれて形成する第２の折り畳み領域(２０２)が延在されている。また、左縦折り線(Ｌｗ１)及び右縦折り線(Ｌｅ１)は、隣接している第１の正面展示領域(１０１)の左側辺の長さ、右側辺の長さと等しいであり、左横折り線(Ｔｗ１)及び右横折り線(Ｔｅ１)の長さは、互いに等しくてもよく、それとも、等しくなくてもよい。
【００３０】
引き続いて、各本折り線(Ｌｓ１、Ｌｓ２)、左縦折り線(Ｌｗ１)、左横折り線(Ｔｗ１)、右縦折り線(Ｌｅ１)、右横折り線(Ｔｅ１)及びサブ折り線(Ｌ３)に沿って折り畳んで、第１の正面展示領域(１０１)と、第２の正面展示領域(１０２)と、第３の正面展示領域(１０３)と、第１の折り畳み領域(２０１)と、第２の折り畳み領域(２０２)と、結合部(１１０)とを形成するように組み立てると、自立可能な３角柱状の自立式紙製品を形成することができる。
【００３１】
本実施例では、折り畳み部(２００)は、第１の正面展示領域(１０１)とつながっているが、これに限定されない。例えば、第１の折り畳み領域(２０１)と第２の折り畳み領域(２０２)は、第２の正面展示領域(１０２)又は第３の正面展示領域(１０３)とそれぞれつながってもよい。
【００３２】
そして、図７に示すように、Ｍ=４の場合、この第１の正面展示領域(１０１)と第２の正面展示領域(１０２)の左側から、２本の左縦折り線(Ｌｗ２、Ｌｗ２)及び２本の左横折り線(Ｔｗ１、Ｔｗ２)で囲まれて形成する第１の折り畳み領域(２０１)及び第３の折り畳み領域(２０３)が延在されているとともに、第１の正面展示領域(１０１)と第２の正面展示領域(１０２)の右側から、２本の右縦折り線(Ｌｅ１、Ｌｅ２)と２本の右横折り線(Ｔｅ１、Ｔｅ２)で囲まれて形成する第２の折り畳み領域(２０２)及び第4の折り畳み領域(２０４)が延在されている。また、各左縦折り線(Ｌｗ２、Ｌｗ２２)及び各右縦折り線(Ｌｅ１、Ｌｅ２)は、隣接している正面展示領域の左側辺の長さ、右側辺の長さと等しいであり、各左横折り線(Ｔｗ１、Ｔｗ２)及び各右横折り線(Ｔｅｗ１、Ｔｅ２)の長さは、互いに等しいか等しくなくてよい。
【００３３】
引き続いて、各本折り線(Ｌｓ１、Ｌｓ２)、各左縦折り線(Ｌｗ１、Ｌｗ２)、左横折り線(Ｔｗ１、Ｔｗ２)、各右縦折り線(Ｌｅ１、Ｌｅ２)、右横折り線(Ｔｅ１、Ｔｅ２)及びサブ折り線(Ｌ３)に沿って折り畳んで、第１の正面展示領域(１０１)と、第２の正面展示領域(１０２)と、第３の正面展示領域(１０３)と、第１の折り畳み領域(２０１)、…、及び第4の折り畳み領域(２０４)と、結合部(１１０)とを形成するように組み立てると、自立可能な３角柱状の自立式紙製品を形成することができる。図８Ａに示すように、ユーザは、第１の正面展示領域(１０１)又は第２の正面展示領域(１０２)に模様を設計してもよいし、写真、絵又はファイルなどを折り畳み部内に嵌め込んでもよい。しかも、第３の正面展示領域(１０３)を台面に平ら置くと、自立式紙製品を安定させる役割を果たせる。また、図８Ｂに示した自立式紙製品の第１の正面展示領域(１０１)では、正面展示領域からカットされて外へ折り返されたサポート部材Ｙを有し、折り畳み部に嵌め込まれた写真、絵又はファイルなどの長さが比較的長い場合、サポート部材Ｙは、案外な支持効果を付与することができる。
【００３４】
また、図９を参照し、Ｍ=６の場合、第１の正面展示領域(１０１)、第２の正面展示領域(１０２)及び第３の正面展示領域(１０３)の左側から、３本の左縦折り線(Ｌｗ１、Ｌｗ２、Ｌｗ３)及び２本の左横折り線(Ｔｗ１、Ｔｗ２)で囲まれて形成する、第１の折り畳み領域(２０１)と第３の折り畳み領域(２０３)と第５の折り畳み領域(２０５)とが延在されているとともに、第１の正面展示領域(１０１)、第２の正面展示領域(１０２)及び第３の正面展示領域(１０３)の右側から、３本の右縦折り線(Ｌｅ１、Ｌｅ２、Ｌｅ３)及び２本の右横折り線(Ｔｅ１、Ｔｅ２)で、第２の折り畳み領域(２０２)と第4の折り畳み領域(２０４)と第６の折り畳み領域(２０６)とが延在されている。また、各左縦折り線(Ｌｗ１、Ｌｗ２、Ｌｗ３)及び各右縦折り線(Ｌｅ１、Ｌｅ２、Ｌｅ３)は、隣接している正面展示領域の左側辺の長さ、右側辺の長さと等しいであり、各左横折り線(Ｔｗ１、Ｔｗ２)及び各右横折り線(Ｔｅ１、Ｔｅ２)の長さは、互いに等しくてもよく、それとも、等しくなくてもよい。
【００３５】
引き続いて、各本折り線(Ｌｓ１、Ｌｓ２)、各左縦折り線(Ｌｗ１、Ｌｗ２、Ｌｗ３)、左横折り線(Ｔｗ１、Ｔｗ２)、各右縦折り線(Ｌｅ１、Ｌｅ２、Ｌｅ３)、右横折り線(Ｔｅ１、Ｔｅ２)及びサブ折り線(Ｌ３)に沿って折り畳んで、第１の正面展示領域(１０１)と、第２の正面展示領域(１０２)と、第３の正面展示領域(１０３)と、第１の折り畳み領域(２０１)、…、及び第６の折り畳み領域(２０６)と、結合部(１１０)とを形成するように組み立てると、自立可能な３角柱状の自立式紙製品を形成することができる。図１０に示すように、この自立式紙製品の３つの正面展示領域には、いずれもユーザの要求に応じて模様を設計してもよいし、写真、絵又はファイルなどを折り畳み部内に嵌め込んでもよい。
【実施例５】
【００３６】
図１１〜図１５は、それぞれ、本考案に係る自立式紙製品の実施例５の展開状態及び組み立て状態を示す模式図である。図１１〜図１５を参照し、ここで、Ｎ=３、Ｍ=２、４、６又は８である。この自立式紙製品は台紙であって、その展開状態は、正面展示部(１００)と、折り畳み部(２００)とを含む。この正面展示部には、第１の正面展示領域(１０１)、…、及び第4の正面展示領域(１０４)が３本の本折り線(Ｌｓ１、Ｌｓ２、Ｌｓ３)で仕切られている。また、第4の正面展示領域(１０４)の下辺に結合部(１１０)が延在されているとともに、この結合部(１１０)と第4の正面展示領域(１０４)との間に１本のサブ折り線(Ｌ３)が設けられ、このサブ折り線(Ｌ３)の長さは、各本折り線(Ｌｓ１、Ｌｓ２、Ｌｓ３)の長さのいずれかと等しいか又はより以下である。折り畳み工程を行う時、この結合部(１１０)と第１の正面展示領域(１０１)とを結合させることができ、例えば、結合部(１１０)を第１の正面展示領域(１０１)の裏面に貼り付けてよい。
【００３７】
本考案の技術的思想によれば、第１の正面展示領域(１０１)の上辺と第4の正面展示領域(１０４)の下辺に係止部及び被係止部（図示せず）がそれぞれ設けられることにより、折り畳み工程を行う時、係止部と被係止部でこの台紙の両側を互い係止して結合することができる。
【００３８】
図１１〜図１４は、それぞれ、本考案に係る自立式紙製品の折り畳み領域の数Ｍが２、４、６又は８の場合の展開模式図であり、折り畳み領域の需要量の増加に従って、相応数の左縦折り線(Ｌｗ１、…、Ｌｗ４)、左横折り線(Ｔｗ１、…、Ｔｗ３)、右縦折り線(Ｌｅ１、…、Ｌｅ４)、及び右横折り線(Ｔｅ１、…、Ｔｅ３)が設けられている。
【００３９】
例えば、図１４を参照し、Ｍ=８の場合、折り畳み部(２００)は、第１の正面展示領域(１０１)、…、及び第4の正面展示領域(１０４)の左側から、４本の左縦折り線(Ｌｗ１、…、Ｌｗ４)と３本の左横折り線(Ｔｗ１、…、Ｔｗ３)で囲まれて形成する第１の折り畳み領域(２０１)、第３の折り畳み領域(２０３)、…、及び第７の折り畳み領域(２０７)が延在されているとともに、第１の正面展示領域(１０１)、…、及び第4の正面展示領域(１０４)の右側から、４本の右縦折り線(Ｌｅ１、…、Ｌｅ４)と３本の右横折り線(Ｔｅ１、…、Ｔｅ３)で囲まれて形成する第２の折り畳み領域(２０２)、第4の折り畳み領域(２０４)、…、及び第８の折り畳み領域(２０８)が延在されている。各左縦折り線(Ｌｗ１、…、Ｌｗ４)及び各右縦折り線(Ｌｅ１、…、Ｌｅ４)は、隣接している正面展示部の左側辺の長さ、右側辺の長さと等しいであり、各左横折り線(Ｔｗ１、…、Ｔｗ３)及び各右横折り線(Ｔｅ１、…、Ｔｅ３)の長さは、互いに等しくてもよく、それとも等しくなくてもよい。
【００４０】
引き続いて、各本折り線(Ｌｓ１、Ｌｓ２、Ｌｓ３)、各左縦折り線(Ｌｗ１、…、Ｌｗ４)、左横折り線(Ｔｗ１、…、Ｔｗ３)、各右縦折り線(Ｌｅ１、…、Ｌｅ４)、右横折り線(Ｔｅ１、…、Ｔｅ３)及びサブ折り線(Ｌ３)に沿って折り畳んで、第１の正面展示領域(１０１)、…、第4の正面展示領域(１０４)、第１の折り畳み領域(２０１)、…、第８の折り畳み領域(２０８)、及び結合部(１１０)を形成するように組み立てると、自立可能な四角形の自立式紙製品を形成することができる。図１５に示すように、この自立式紙製品の４つの正面展示領域は、いずれも、ユーザの要求に応じて模様を設計してもよいし、写真、絵又はファイルなどを各折り畳み領域に嵌め込んでもよい。
【実施例６】
【００４１】
図１６〜図２２は、それぞれ、本考案に係る自立式紙製品の実施例６の展開状態及び組み立て状態を示す模式図である。ここで、Ｎ=５、Ｍ=２、４、６、８、１０又は１２である。この自立式紙製品は台紙であって、その展開状態は、正面展示部(１００)と、折り畳み部(２００)とを含む。正面展示部には、第１の正面展示領域(１０１)、…、及び第６の正面展示領域(１０６)が５本の本折り線(Ｌｓ１、…、Ｌｓ５)で仕切られている。また、第６の正面展示領域(１０６)の下辺に結合部(１１０)が延在されているとともに、結合部(１１０)と第６の正面展示領域(１０６)との間に１本のサブ折り線(Ｌ３)が設けられ、このサブ折り線(Ｌ３)の長さは、各本折り線(Ｌｓ１、…、Ｌｓ５)の長さのいずれかと等しいか又はより以下である。折り畳み工程を行う時、この結合部(１１０)と第１の正面展示領域(１０１)を結合させることができ、例えば、この結合部(１１０)を第１の正面展示領域(１０１)の裏面に貼り付けてよい。
【００４２】
本考案の技術的思想によれば、第１の正面展示領域(１０１)の上辺と第６の正面展示領域(１０６)の下辺に係止部及び被係止部（図示せず）がそれぞれ設けられることにより、折り畳み工程を行う時、係止部と被係止部で台紙の両側を互い係止して結合することができる。
【００４３】
図１６〜図２１は、それぞれ、本考案に係る自立式紙製品の折り畳み領域の数Ｍが２、４、６、８、１０又は１２の場合の展開模式図であり、折り畳み領域の数の増加に従って、相応数の左縦折り線(Ｌｗ１、…、Ｌｗ６)、左横折り線(Ｔｗ１、…、Ｔｗ５)、右縦折り線(Ｌｅ１、…、Ｌｅ６)、右横折り線(Ｔｅ１、…、Ｔｅ５)が設けられている。
【００４４】
例えば、Ｍ=１２の場合、折り畳み部(２００)は、第１の正面展示領域(１０１)、…、及び第６の正面展示領域(１０６)の左側から、６本の左縦折り線(Ｌｗ１、…、Ｌｗ６)と５本の左横折り線(Ｔｗ１、…、Ｔｗ５)で囲まれて形成する第１の折り畳み領域(２０１)、第３の折り畳み領域(２０３)、…、及び第１１の折り畳み領域(２１１)が延在されているとともに、第１の正面展示領域(１０１)、…、及び第６の正面展示領域(１０６)の右側から、６本の右縦折り線(Ｌｅ１、…、Ｌｅ６)と５本の右横折り線(Ｔｅ１、…、Ｔｅ５)で囲まれて形成する第２の折り畳み領域(２０２)、第4の折り畳み領域(２０４)、…、及び第１２の折り畳み領域(２１２)が延在されている。また、各左縦折り線(Ｌｗ１、…、Ｌｗ６)及び各右縦折り線(Ｌｅ１、…、Ｌｅ６)は、それぞれ、隣接している正面展示部の左側辺の長さ、右側辺の長さと等しいであり、各左横折り線(Ｔｗ１、…、Ｔｗ５)及び各右横折り線(Ｔｅ１、…、Ｔｅ５)の長さは、互いに等しくてもよく、それとも、等しくなくてもよい。
【００４５】
引き続いて、各本折り線(Ｌｓ１、…、Ｌｓ５)、各左縦折り線(Ｌｗ１、…、Ｌｗ６)、左横折り線(Ｔｗ１、…、Ｔｗ５)、各右縦折り線(Ｌｅ１、…、Ｌｅ６)、右横折り線(Ｔｅ１、…、Ｔｅ５)、及びサブ折り線(Ｌ３)に沿って折り畳んで、第１の正面展示領域(１０１)、…、第６の正面展示領域(１０６)、第１の折り畳み領域(２０１)、…、第１２の折り畳み領域(２１２)、及び結合部(１１０)を形成するように組み立てると、自立可能な断面が六角形の自立式紙製品を形成することができる。図２２Ａに示すように、この自立式紙製品の６つの正面展示領域は、ともに、ユーザの要求に応じて模様を設計してもよいし、写真、絵又はファイルなどを各折り畳み領域に嵌め込んでもよい。
【００４６】
また、図２２Ｂを参照し、本考案の技術的思想によれば、更に第１の正面展示領域(１０１)、…、及び第６の正面展示領域(１０６)においてこれらの本折り線に垂直な方向に、同一の平面に位置しかつ互いにつながらない切断線(１２０)が複数カットされることにより、折り畳み工程を行う時、これらの切断線を介して６角形構造の載置部材(Ｓ)をこの自立式紙製品の中空内部に嵌め込めば、複数層の収納構造を形成することができるため、載置部材(Ｓ)で物品を置いたり、複数の載置部材(Ｓ)で層数に応じて多様な物品を収納したりすることができる。
【００４７】
以上、すでに上記実施例のように例を挙げて本考案の技術的内容について詳しく説明したが、本考案は、これらの実施形態に限定されるものではない。図２３は、本考案に係る立式紙製品の展開状態を示す標準模式図である。図２３を参照し、本考案の作製方法によれば、ユーザは、実際の要求に応じて、相応数の本折り線(Ｌｓ１、…ＬｓＮ)、左縦折り線(Ｌｗ１、…、ＬｗＡ)、左横折り線(Ｔｗ１、…、ＴｗＣ)、右縦折り線(Ｌｅ１、…、ＬｅＢ)、右横折り線(Ｔｅ１、…、ＴｅＤ)、又はサブ折り線(Ｌ３)を設け、(Ｎ+１)の正面展示領域、Ｍの折り畳み領域、又は結合部(１１０)を形成した後、パターンを印刷し組み立てればよい。ここで、Ａ、Ｂ、Ｃ、Ｄ、Ｎ、及びＭは、いずれも自然数で、好ましくは、ＡとＢがそれぞれ１〜２６の範囲内にあり、Ｃ、Ｄ及びＮがそれぞれ１〜２５の範囲内にあり、Ｍが１〜５２の範囲内にある。
【００４８】
全体として、本考案に係る自立式紙製品を収納構造として従来技術の写真アルバムや、カレンダー、ブックスタンド、額縁、卓上カタログなどに取って代われば、従来技術の多くの欠点が改善されただけでなく、更に、本考案の特徴が示されるとともに、異なるニーズに異なる応用ができる多くの利点を備え、しかも、大量に作製の場合、作製コストが低い。
【００４９】
以上、上記実施例のように例を挙げて本考案の内容について詳細に説明したが、本考案は、これらの実施形態に限定されるものではない。
【００５０】
本考案に属する技術分野において通常の知識者を持つ当業者は、本考案の精神及び範囲を逸脱しない限り、様々な変更や補正を行うことができる。例えば、前記実施例で例示した各技術内容を組み合わせたり変更したりして新しい実施形態にすると、これらの実施形態も本考案に属すると見なす。そのため、当考案が保護しようとする範囲も、後に述べる実用新案登録請求の範囲及びその規定された範囲を含む。
【符号の説明】
【００５１】
１００  正面展示部
１０１  第１の正面展示領域
１０２  第２の正面展示領域
１０３  第３の正面展示領域
１０４  第４の正面展示領域
１０５  第５の正面展示領域
１０６  第６の正面展示領域
１０Ｎ  第Ｎの正面展示領域
１１０  結合部
１２０  切断線
２００  折り畳み部
２０１  第１の折り畳み領域
２０２  第２の折り畳み領域
２０３  第３の折り畳み領域
２０４  第４の折り畳み領域
２０５  第５の折り畳み領域
２０６  第６の折り畳み領域
２０７  第７の折り畳み領域
２０８  第８の折り畳み領域
２０９  第９の折り畳み領域
２０１０  第１０の折り畳み領域
２０１１  第１１の折り畳み領域
２０１２  第１２の折り畳み領域
２０(Ｍ-１)  第(Ｍ-１)の折り畳み領域
２０Ｍ  第Ｍの折り畳み領域
３００  綴じ穴
Ｌｓ１、…、ＬｓＮ  本折り線
Ｌｗ１、…、ＬｗＡ  左縦折り線
Ｌｅ１、…、ＬｅＢ  右縦折り線
Ｔｗ１、…、ＴｗＣ  左横折り線
Ｔｅ１、…、ＴｅＤ  右横折り線
Ｌ３  サブ折り線
Ｐ  写真、絵
ＰＡ  ルーズリーフバインダ
Ｙ  サポート部材
Ｓ  載置部材
【図１】
0003218478.tif 000003
【図２】
0003218478.tif 000004
【図３Ａ】
0003218478.tif 000005
【図３Ｂ】
0003218478.tif 000006
【図３Ｃ】
0003218478.tif 000007
【図４】
0003218478.tif 000008
【図５】
0003218478.tif 000009
【図６】
0003218478.tif 000010
【図７】
0003218478.tif 000011
【図８Ａ】
0003218478.tif 000012
【図８Ｂ】
0003218478.tif 000013
【図９】
0003218478.tif 000014
【図１０】
0003218478.tif 000015
【図１１】
0003218478.tif 000016
【図１２】
0003218478.tif 000017
【図１３】
0003218478.tif 000018
【図１４】
0003218478.tif 000019
【図１５】
0003218478.tif 000020
【図１６】
0003218478.tif 000021
【図１７】
0003218478.tif 000022
【図１８】
0003218478.tif 000023
【図１９】
0003218478.tif 000024
【図２０】
0003218478.tif 000025
【図２１】
0003218478.tif 000026
【図２２Ａ】
0003218478.tif 000027
【図２２Ｂ】
0003218478.tif 000028
【図２３】
0003218478.tif 000029